(57)【要約】      （修正有）【課題】この発明は、自転車・単車の車軸にステッカーの表示機能をもたせる装置に関するものである。【解決手段】中心点に円筒を突設させた円型板（１）を設けた、自転車・単車の車軸にステッカーを表示装置【選択図】図１
2005297936.tif 000002
【特許請求の範囲】
【請求項１】
中心点に円筒を突設させた円型板（１）を設けた自転車・単車のステッカー表示装置
【発明の詳細な説明】
【発明の詳細な説明】
【技術分野】
【０００１】    この発明は自転車・単車の車軸にステッカーの表示機能をもたせる装置に関するものである。
【背景技術】
【０００２】    従来、自転車の車軸にキャップをかぶせた状態にあった。
【発明が解決しようとする課題】
【０００３】    そのために、次のような欠点があった。
（イ）キャップは車軸のサビ止め以外の効用がなく、車軸を活用した更なる開発を妨げた。
本発明は、これらの欠点を解決するためのものである。
【課題を解決するための手段】
【０００４】    中心点に円筒を突設させた円型板（１）を設ける。
本発明は、以上の構成からなる自転車・単車のステッカー表示装置である。
【発明を実施するための最良の形態】
【０００５】    以下、本発明の実施の形態について説明する。
（イ）本発明の素材は成樹脂である。
（ロ）円筒板の中心点に突設された円筒の開口部分を車軸に冠着できる内径を設ける。
本発明は、以上のような構造でこれを使用する時は、ステッカーを貼着させた円型板の突設円筒の開口部分を車軸に冠着させる事によって機能される。
図３に示すように車軸にフォークを装置した単車の場合も、改良した「ステッカー表示装置」によってその機能を発揮することができる。
【発明の効果】
【０００６】  円型板の表面に各種ステッカー、アニメキャラクター、イラスト、ロゴ、標語などをその都度々々任意に貼着することによって
（イ）各種スポーツチームの応援、キャンペーン、連帯、呼びかけ効果をもたらす。
（ロ）国内、国際の各種行事、キャンペーン、イベントへの応援、連帯、呼びかけ効果をもたらす。
（ハ）居住地域、各学校等の行事、キャンペーン、イベントの応援、連帯、呼びかけ効果をもたらす。
（ニ）交通安全キャンペーンの標語などの表示によって社会的貢献をもたらす。
（ホ）ステッカー、アニメキャラクター、イラスト、ロゴ、標語等の新たな創意工夫をもたらす。
【符号の説明】
１．円型板              （成樹脂）
２．円筒内径            （１６ｍｍ）
３．円筒外径            （１８ｍｍ）
４．円筒高さ            （２５ｍｍ）
５．円筒肉厚            （２ｍｍ）
６．円型板長径          （１５０ｍｍ）
７．円型板肉厚          （２．５ｍｍ）
８．単車フォーク用嵌着装置
９．車輪
１０．タイヤ
１１．車軸
１２．ステッカー表示板
１３．ステッカー実施例（１）
１４．ステッカー実施例（２）
１５．ステッカー実施例（３）
【図１】
2005297936.tif 000003
【図２】
2005297936.tif 000004
【図３】
2005297936.tif 000005
【図４】
2005297936.tif 000006
【図５】
2005297936.tif 000007
【図６】
2005297936.tif 000008
【図７】
2005297936.tif 000009
【手続補正書】
【提出日】平成16年6月15日(2004.6.15)
【手続補正１】
【補正対象書類名】図面
【補正対象項目名】図２
【補正方法】変更
【補正の内容】
【図２】
2005297936.tif 000010
【手続補正書】
【提出日】平成16年8月16日(2004.8.16)
【手続補正１】
【補正対象書類名】特許請求の範囲
【補正対象項目名】全文
【補正方法】変更
【補正の内容】
【特許請求の範囲】
【請求項１】
中心点に円筒を突設させた円型板（１）を設け、自転車・単車の車軸にステッカーを表示する装置
【手続補正２】
【補正対象書類名】明細書
【補正対象項目名】全文
【補正方法】変更
【補正の内容】
【発明の詳細な説明】
【技術分野】
【０００１】    この発明は自転車・単車の車軸にステッカーの表示機能をもたせる装置に関するものである。
【背景技術】
【０００２】    従来は、自転車・単車の車軸にキャップをかぶせた状態にあった。
【発明が解決しようとする課題】
【０００３】    そのために、次のような欠点があった。
（イ）キャップは車軸のサビ止め以外の効用がなく、車軸を活用した更なる開発を妨げた。
本発明は、これらの欠点を解決するために。
【図１】
本発明の自転車・単車の車軸ステッカー表示装置の斜視図
【図２】
本発明の自転車・単車の車軸ステッカー表示装置の断面図
【図３】
本発明の単車のフォークに嵌着させる改良ステッカー表示装置の斜視図
【図４】
本発明の自転車・単車のステッカー表示装置を車軸に冠着させた正面図
【図５】
本発明の自転車・単車の車軸ステッカー表示装置の実施例その（１）
【図６】
本発明の自転車・単車の車軸ステッカー表示装置の実施例その（２）
【図７】
本発明の自転車・単車の車軸ステッカー表示装置の実施例その（３）
等々を用いるものである。
【課題を解決するための手段】
【０００４】    中心点に円筒を突設させた円型板（１）を設ける。
本発明は、以上の構成からなる自転車・単車の車軸ステッカー表示装置である。
【発明を実施するための最良の形態】
【０００５】    以下、本発明の実施の形態について説明する。
（イ）本発明の素材は成樹脂とである。
（ロ）円筒板の中心点に突設された円筒の開口部分を車軸に冠着できる内径を設ける。
本発明は、以上のような構造でこれを使用する時は、ステッカーを貼着させた円型板の突設円筒の開口部分を車軸に冠着させる事によって機能される。
【図３】
に示すように車軸にフォークを装置した単車の場合も、改良した「ステッカー表示装置」によってその機能を発揮することができる。
【発明の開示】
【０００６】  円型板の表面に各種ステッカー、アニメキャラクター、イラスト、ロゴ、標語などをその都度々々任意に貼着することによって
（イ）各種スポーツチームの応援、キャンペーン、連帯、呼びかけ効果をもたらす。
（ロ）国内、国際の各種行事、キャンペーン、イベントへの応援、連帯、呼びかけ効果をもたらす。
（ハ）居住地域、各学校等の行事、キャンペーン、イベントへの応援、連帯、呼びかけ効果をもたらす。
（ニ）交通安全キャンペーンの標語などの表示によって社会的貢献をもたらす。
（ホ）ステッカー、アニメキャラクター、イラスト、ロゴ、標語等の新たな創意工夫をもたらす。
【図面の簡単な説明】
【０００７】
【図１】本発明の自転車・単車の車軸ステッカー表示装置の斜視図
【図２】本発明の自転車・単車の車軸ステッカー表示装置の断面図
【図３】本発明の単車のフォークに嵌着させる改良ステッカー表示装置の斜視図
【図４】本発明の自転車・単車のステッカー表示装置を車軸に冠着させた正面図
【図５】本発明の自転車・単車の車軸ステッカー表示装置の実施例その（１）
【図６】本発明の自転車・単車の車軸ステッカー表示装置の実施例その（２）
【図７】本発明の自転車・単車の車軸ステッカー表示装置の実施例その（３）
【符号の説明】
【０００８】
【符号の説明】
１．円型板              （成樹脂）
２．円筒内径            （１６ｍｍ）
３．円筒外径            （１８ｍｍ）
４．円筒高さ            （２５ｍｍ）
５．円筒肉厚            （２ｍｍ）
６．円型板長径          （１５０ｍｍ）
７．円型板肉厚          （２．５ｍｍ）
８．単車フォーク用嵌着装置
９．車輪
１０．タイヤ
１１．車軸
１２．ステッカー表示板
１３．ステッカー実施例（１）
１４．ステッカー実施例（２）
１５．ステッカー実施例（３）
【手続補正３】
【補正対象書類名】図面
【補正対象項目名】全図
【補正方法】変更
【補正の内容】
【図１】
2005297936.tif 000011
【図２】
2005297936.tif 000012
【図３】
2005297936.tif 000013
【図４】
2005297936.tif 000014
【図５】
2005297936.tif 000015
【図６】
2005297936.tif 000016
【図７】
2005297936.tif 000017